(57)【特許請求の範囲】
【請求項１】
既製杭の上端に嵌合して接続自在とされた杭キャップ本体と、この杭キャップ本体内に上下方向摺動自在に設けられ既製杭の上端面に液密に圧着し得るホルダとからなり、前記杭キャップ本体はその上端にオーガ駆動部に連結可能で軸方向に液体供給路を有する連結用ロッドを備え、前記ホルダは前記連結用ロッドの液体供給路に連通する縦通路を有するとともに前記既製杭に縦設された流通路に連通する周方向に長い孔を含む分配路を有することを特徴とする杭吊込み用治具。
【発明の詳細な説明】
【０００１】
【発明の属する技術分野】
本発明は、杭の沈設工法に用いられる杭吊込み用治具に関する。
【０００２】
【従来の技術】
地中に既製杭を建込む方法の従来の技術として、予めアースオーガにより地盤に掘削した竪穴内に、下端に膨張袋体を有するとともに肉厚部に上記袋体にセメントミルク等の薬液を供給するための流通路を有する中空杭を杭頭が地表より所定深さ埋沈するよう建込み、その後前記袋体にセメントミルク等の薬液を供給してこれを膨張させ、地中に拡大球根を造成するようになされるものがある。
【０００３】
【発明が解決しようとする課題】
しかるに上記従来の技術では、杭頭部に薬液供給用の配管を設置し、地上から杭下端の膨張袋体に薬液を供給することになるが、この配管を現場で設置する作業が面倒であるばかるでなく、杭を地表より適宜深さに沈下させるときに前記配管が邪魔になって通称「ヤットコ」といわれる杭吊下げ用治具を用いての沈設作業ができず、回収不能なワイヤ等を使用して作業するほかはなかった。
【０００４】
【課題を解決するための手段】
本発明は、既製杭の建込み作業時における薬液供給用配管の設置作業を不要とし、かつ特別な資材を使用することなく杭の沈設を行うことができるようにすることを課題としてなされたものである。
【０００５】
上記課題を解決する手段として本発明は、既製杭の上端に既製杭の上端に嵌合して接続自在とされた杭キャップ本体と、この杭キャップ本体内に上下方向摺動自在に設けられ既製杭の上端面に液密に圧着し得るホルダとからなり、前記杭キャップ本体はその上端にオーガ駆動部に連結可能で軸方向に液体供給路を有する連結用ロッドを備え、前記ホルダは前記連結用ロッドの液体供給路に連通する縦通路を有するとともに前記既製杭に縦設された流通路に連通する周方向に長い孔を含む分配路を有することを特徴とする。
【０００６】
上記既製杭は一般に中空杭を用いる場合が多く、この場合における前記流通路は中空杭の肉厚部に形成されている。
【０００７】
【発明の実施の形態】
以下、本発明を図面に示す実施の形態を参照して説明する。
図１は本発明による杭吊込み用治具の一実施の形態の正面図を、図２は同平面図を示し、図３は図１の縦断面を、図４は図３のＡ−Ａ相当の断面を示している。
【０００８】
上記杭吊込み用治具１は、既製杭Ｐの上端に嵌合して接続自在な断面下向きコ字状を有する円筒状の杭キャップ本体２と、この杭キャップ本体２の内部に上下摺動自在に設けられ既製杭Ｐの上端に液密に圧着し得るホルダ３とからなっている。
【０００９】
前記杭キャップ本体２の上面部２ａの中央位置には、図５で示す掘削機のオーガ駆動部２５に所要長さのロッド２６を介して連結するための多角形断面を有する連結用ロッド４が突設されており、この連結用ロッド４の軸心にはセメントミルク等の薬液供給源からの薬液供給路に前記駆動部およびロッド内を通じて連通する液体供給路５が形成されているとともに、外周部にはロッド２６との連結用の凹溝６，６が形成されている。
【００１０】
前記連結用ロッド４の内端位置には円筒状のガイド筒７が固設垂下されている。また上記ガイド筒７の下端位置に相当する位置の杭キャップ本体２の周壁部２ｂには所要数の泥排除用窓孔８，８が開口されている。
【００１１】
上記杭キャップ本体２の周壁部２ｂの下端の少くとも直径線上２箇所に、下端が開放され上端が水平方向に屈曲された切欠部９が形成されており、上記水平方向に屈曲された屈曲部９ａの下縁の入口端には突部９ｂが突設されている。
【００１２】
一方、既製杭Ｐの上端近くの外周には、前記切欠部９と対応して係止金具１０が突設されており、この係止金具１０は前記切欠部９を通過し得るとともに該切欠部９の屈曲部９ａの垂直な奥端９ｃと前記突部９ｂとの間に納まり得る寸法とされている。なお上記切欠部９、係止金具１０は、既製杭Ｐの直径に応じ等角配置の３箇所あるいは４箇所に設けることもある。
【００１３】
前記ホルダ３は、中空円盤状を有し、その上面中央位置には前記杭キャップ本体２のガイド筒７の外周にシール材１１を介して摺動自在に嵌合する筒状の摺動部１２が垂直に突設され、前記ガイド筒７、摺動部１２の各内部で縦通路を構成してその下端が通孔１３を通じてホルダ３の内部の分配路１４と連通されている。
【００１４】
上記ホルダ３の下面板３ａには、既製杭Ｐの肉厚部に縦設されている流通路１５に連通する周方向に長い複数の長孔１６が形成されている。この長孔１６は分配路１４の一部を構成し、前記既製杭Ｐに対し杭キャップ本体２を位置合わせすることなく任意の位置で嵌合させても分配路１４と流通路１５とが連通するよう図４にみられるように３箇所に形成されている。
【００１５】
また前記ホルダ３の上下に貫通して複数（図では３本）の泥抜き管１７，１７，１７が補強用のリブ１８，１８，１８により取付けられ、既製杭Ｐの中空部と杭キャップ本体２の泥排出孔８，８とを連通している。
【００１６】
前記ホルダ３の前記泥排出孔８，８…と対応する位置の上部には、該泥排出孔８，８…内に臨むようにストッパ１９，１９が設けられ、このストッパ１９が泥排出孔８の上端または下端に当接することによりホルダ３の上下方向のストロークが規制されるようになっている。
【００１７】
また上記ホルダ３の上面と杭キャップ本体２の上面部２ａの下面との間には、前記ガイド筒１２の外周に外嵌するようにコイルバネ２０が嵌挿され、このバネ２０の付勢力によりホルダ３を常時下方へ向け付勢し、ホルダ３の下面に付設された円環状のゴム等の弾性材からなるパッキン材２１が既製杭Ｐの上端面に常時液密に圧着しておかれるように構成されている。なお上記パッキン材２１にもホルダ３の下面の長孔１６と整合する長孔２２が形成されている。図３において２３は上記パッキン材２１の内周を押えるリング状の保護材である。
【００１８】
前記既製杭Ｐの下端には従来と同様に膨張袋体２４（図５示）を有し、この袋体２４の内部と前記流通路１５の下端とが連通状態とされている。
【００１９】
次に上記実施の形態の作用を図５（Ａ）〜（Ｈ）を参照して説明する。なお図５において符号２５は掘削機のオーガ駆動部を、２６は駆動部２５の出力軸に連結された前述のロッドを示し、２７はセメントミルク等の薬液供給管を示している。また２８は地中に掘削された竪穴を、２９は竪穴２８の下端に予め拡大掘りされた大径の球根形成部を示している。
【００２０】
まずアースオーガにより掘削された竪穴２８内に中空の既製杭Ｐをワイヤ等により吊持して挿入し、作業しやすい高さだけ地上に突出させておく（図５（Ａ））。このとき既製杭Ｐの下端は竪穴２８の下端の球根形成部２９には到達していない。
【００２１】
この状態において掘削機の駆動部２５に連結されたロッド２６の下端に杭キャップ本体２の連結用ロッド４を連結し、この杭キャップ本体２の中心と既製杭Ｐの中心とが略一致するように位置決めする（図５（Ｂ））。
【００２２】
次いで駆動部２５を下降させ、杭キャップ本体２を既製杭Ｐの上端に被せる。このとき杭キャップ本体２の切欠部９と係止金具１０とが一致するよう駆動部２５を若干駆動して位置合わせする。
【００２３】
こうしたのち駆動部２５を下降させ、係止金具１０に切欠部９が嵌合したときさらに駆動部２５を寸動回転させて係止金具１０が切欠部９の屈曲部９ａ内に進入するようにして杭キャップ本体２を若干引上げれば、係止金具１０は突部９ｂに係合する（図５（Ｃ））。
【００２４】
この状態で既製杭Ｐを吊持していたワイヤを外し、既製杭Ｐの重量を杭吊込み用治具１に預ける。
【００２５】
これと同時に杭キャップ本体２内のホルダ３の下面のパッキン２１が既製杭Ｐの上端面にバネ２０の作用により圧接し、両者間の液密状態が維持される。
【００２６】
こうして駆動部２５を下降させ（図５（Ｄ））、既製杭Ｐを所定深さまで下降させる（図５（Ｅ））。
【００２７】
次いで図示しない薬液供給ポンプを始動すれば、薬液は外部の薬液供給源から薬液供給管２７を通じ駆動部２５、ロッド２６、連結用ロッド４、ガイド筒７、摺動部１２の各内部を通ってホルダ３の分配路１４内へ供給され、その長孔１６，２１を通じて既製杭Ｐの流通路１５を通じ膨張袋体２４内へ注入され、該袋体２４が次第に膨張し（図５（Ｆ））、袋体２４が図５（Ｇ）のように膨張しきったところで薬液の注入を停止する。
【００２８】
薬液の注入が完了したら駆動部２５を若干下降させて係止金具１０から突部９ｂを外し、次いで前記とは逆方向に寸動回転させて係止金具１０を切欠部９の屈曲部９ａから外し、駆動部２５を上昇させて杭吊込み用治具１を上方へ引上げて回収する（図５（Ｈ））。
【００２９】
【発明の効果】
以上説明したように本発明によれば、下端に膨張袋体を有する既製杭であっても竪穴内の所定の深度まで確実に下降（沈設）することができ、同時に膨張袋体に薬液を供給して膨張させることができる。膨張袋体を有しない既製杭の場合であっても同様である。
【００３０】
また本発明による治具は所定の作業を終了したのち容易に回収することができるので繰返し使用することができ、きわめて経済的である。さらに別途薬液供給管に関する配管作業が不要であるため作業性がよく、しかも外部配管がないので杭が沈設不能に陥った際に回転沈設を可能とすることができる。
【図面の簡単な説明】
【図１】本発明による杭吊込み用治具の一実施形態を示す正面図。
【図２】同、平面図。
【図３】図１の縦断面図。
【図４】図３のＡ−Ａ相当の断面図。
【図５】（Ａ）〜（Ｈ）は作業工程例を示す説明図。
【符号の説明】
１  杭吊込み用治具
２  杭キャップ本体
３  ホルダ
４  連結用ロッド
７  ガイド筒
８  泥排除用窓孔
９  切欠部
１０  係止金具
１２  摺動部
１４  分配路
１５  流通路
１６  長孔
１７  泥抜き管
１８  リブ
１９  ストッパ
２０  バネ
２１  パッキン材
２２  長孔
２４  袋体
２５  駆動部
２６  ロッド
【図１】
0003865930.tif 000002
【図２】
0003865930.tif 000003
【図３】
0003865930.tif 000004
【図４】
0003865930.tif 000005
【図５】
0003865930.tif 000006